(57)【要約】      （修正有）【課題】マスクを着用したまま飲食が可能で、飲食時に飛沫の拡散を気にすることなく食事や会話を楽しむことができるマスクを提供する。【解決手段】両側部に耳ひも２１が付いた下側マスク２と、この下側マスク２の表面を覆って重なる上側マスク３によりマスク１を形成する。上下のマスク２、３は互いに上端を揃えて上辺部同士を一体に接続し、下側マスク２の中央に利用者の口が露出する程度の大きさの開口部２２を設ける。飲食時には上側マスク３を捲り上げ、開口部２２から利用者の口を露出させて喫食する。【選択図】図５
0003230765.tif 000002
【実用新案登録請求の範囲】
【請求項１】
両側部に耳ひもが付いた下側マスクと、この下側マスクの表面を覆って重なる上側マスクからなる二重構造のマスクであって、
前記上下のマスクは互いに上端を揃えて上辺部同士が一体に接続されているとともに、下側マスクの中央に当該マスクを着用したときに利用者の口が露出する開口部が設けられていることを特徴とするマスク。
【請求項２】
下側マスクの中央に楕円形状の開口部が設けられた請求項１に記載のマスク。
【請求項３】
楕円形状の開口部は短軸が４０ｍｍ、長軸が７０ｍｍの大きさである請求項２に記載のマスク。
【請求項４】
下側マスクの裏面上端部に沿って帯状のクッション材からなる鼻パッドが取り付けられていることを特徴とする請求項１から３の何れかに記載のマスク。
【請求項５】
上下のマスクは、綿繊維を重ね合わせたガーゼタイプのマスク、又は不織布フィルターを重ね合わせた不織布タイプのマスクである請求項１から４の何れかに記載のマスク。
【請求項６】
上側マスクがブリーツ型のマスクである請求項１から５の何れかに記載のマスク。
【考案の詳細な説明】
【技術分野】
【０００１】
本考案は、口に装着したまま飲食ができるように構成した家庭用マスクに関する。
【背景技術】
【０００２】
新型コロナ感染症の感染予防対策として、公共交通機関や人の集まる施設などではマスクを着用することが周知徹底され、顧客に料理や飲み物を提供する店内でもマスクの着用を要請する飲食店も多い。
【考案の概要】
【考案が解決しようとする課題】
【０００３】
食事中も会話する時はマスクを着ける「マスク会食」が推奨されているが、グラスの水を飲む、惣菜を箸で掴んで口に入れるといった一回の飲食操作の度に、着用しているマスクの片方の耳ひもを外し、マスクをずらして口を露出させ、飲食物を口に入れた後は再び耳ひもを耳にかけてマスクで口を覆うのは極めて面倒である。
【０００４】
このような、マスクを外して、飲んで、また着けるといった会食マナーを推奨しても、操作が面倒であるため定着がし難いと予想され、特にお酒を飲んで気が緩んだときには上記操作をするのを忘れがちとなり、飲食に伴う感染の拡大防止効果は期待できない。
【０００５】
本考案は従来技術の有するこのような問題点に鑑み、マスクを耳ひも外したりかけたりせずに、マスクを着用したまま飲食が可能なマスクを提供し、飲食時に飛沫の拡散を気にすることなく食事や会話を楽しむことができるようにし、且つ飲食に伴う感染症の拡大防止に期することを課題する。
【課題を解決するための手段】
【０００６】
前記課題を解決するため本考案のマスクは、両側部に耳ひもが付いた下側マスクと、この下側マスクの表面を覆って重なる上側マスクからなる二重構造のマスクであって、
前記上下のマスクは互いに上端を揃えて上辺部同士が一体に接続されているとともに、下側マスクの中央に当該マスクを着用したときに利用者の口が露出する開口部が設けられていることを特徴とする。
上下のマスクの上辺部同士の接続は、接着剤を用いたり、重なり部を線状に縫合したりして行うことができる。
【０００７】
本考案のマスクによれば、下側マスクの両側の耳ひもを両耳にかけて着用し、利用者の口と鼻を上下のマスクで覆って、ウィルスを吸い込んだり飛沫を拡散したりすることを防いで、感染予防を奏することができる。
飲食の際は、飲んだり食べたりするときに、片手で上側マスクの下部を摘まんで捲り上げれば、下側マスクの中央に設けられた開口部を通して利用者の口が露出するので、その状態で喫食することが可能である。耳ひもを取り外して口が露出するようにマスクをずらす必要はない。
飲食物を口に入れたならば、捲り上げていた上側マスクを下側マスクの表面に再び重ねれば、利用者の口は上下のマスクで覆われ、その状態で食事をともにする同行者との会話を楽しむことが可能である。
【０００８】
前記構成のマスクにおいて、下側マスクの中央に設ける開口部は口を開けた形状に沿うように設けることができ、例えば楕円形状に設けることができる。
楕円形状の開口部は、食べ物を口に運ぶ操作に支障がない程度の大きさ、例えば楕円形の短軸が４０ｍｍ、長軸が７０ｍｍ程度の大きさに設けることが好ましい。子供が着用するマスクの場合、開口部の大きさは上記よりも若干小寸に設定される。
【０００９】
また、前記構成のマスクにおいて、利用者がメガネをかけている場合に、飲食の際に飲食物の湯気がマスクの裏側を抜けてメガネに付着しないように、下側マスクの裏面上端部に沿って帯状のクッション材からなる鼻パッドが取り付けられていることが好ましい。
【００１０】
前記構成のマスクにおいて、上下のマスクは、それぞれ綿繊維を重ね合わせたガーゼタイプのマスク、又は不織布フィルターを重ね合わせた不織布タイプのマスクを用いることができる。
また、上下のマスクは、平型マスク、ブリーツ型マスク、立体型マスクといった各種のマスクを組み合わせて用いることができる、例えば、下側マスクが立体型マスク、上側マスクがブリーツ型マスクの組み合わせ、上下のマスクがともにブリーツ型マスクの組み合わせの如きである。
上側マスクがブリーツ型マスクであれば、表面に複数の横方向のブリーツが配置されていることで、上側マスクが下側マスクの表面に沿うように重なって保形され、下側マスクへの密着性が高まるので好ましい。
【考案の効果】
【００１１】
本考案のマスクによれば、利用者の口と鼻を上下のマスクで覆って、ウィルスを吸い込んだり飛沫を拡散したりすることを効果的に防ぐことができる。また、飲食の際は、片手で上側マスクの下部を摘まんで捲り上げて下側マスクの中央に設けられた開口部を通して利用者の口が露出させ、そこから喫食することが可能である。飲食物を口に入れて捲り上げていた上側マスクを下側マスクの表面に重ねれば、利用者の口は上下のマスクで覆われ、その状態で食事をともにする同行者との会話を楽しむことが可能である。
従来のマスクのように飲食の際に耳ひもを取り外して口が露出するようにマスクをずらす操作は不要であり、飲食時に飛沫の拡散を気にすることなく食事や会話を楽しむことができる。本考案のマスクの使用は、飲食に伴う感染症の拡大防止に極めて効果的である。
【図面の簡単な説明】
【００１２】
【図１】本考案の一実施形態のマスクを着用した状態を示す図である。
【図２】図１のマスクの表面図（Ａ）と裏面図（Ｂ）である。
【図３】図１のマスクの平面図である。
【図４】図１のマスクの上側マスクを捲り上げた状態の外観図である。
【図５】図１のマスクを着用して飲食するときの状態を示した図である。
【考案を実施するための形態】
【００１３】
本考案の好適な一実施形態を、図面を参照して説明する。
なお、以下の実施形態は本考案を説明するための例示であり、本考案は実施形態のみに限定されるものではない。
【００１４】
図１は本考案の一実施形態のマスクを着用した状態の外観図、図２は同マスクの表面側と裏面側の外観図である。
【００１５】
両図に示されるように、本形態のマスク１は、両側部に耳ひも２１，２１が付いたブリーツ型の下側マスク２と、この下側マスク２の表面を覆って重なる、同じくブリーツ型の上側マスク３からなる二重構造のマスクであり、前記上下のマスク２，３は互いに上端を揃えて上辺部同士が一体に接続してある。
【００１６】
また、下側マスク２の中央には当該マスク１を着用したときに利用者の口が露出する程度大きさの楕円形状の開口部２２が形成してある。
さらに、図３に示されるように、下側マスク２の裏面上端部に沿って帯状のクッション材からなる鼻パッド４が一体に取り付けてある。
前記構成のマスク１は、図４に示されるように、上側マスク３をその下部を摘まんで捲り上げることができ、捲り上げることで下側マスク２に形成された開口部２２が露出するようになっている。
【００１７】
このように構成された本形態のマスク１によれば、下側マスク２の両側の耳ひも２１，２１を両耳にかけて着用し、利用者の口と鼻を上下に重なった下側マスク２と上側マスク３で覆い、ウィルスを吸い込んだり飛沫を拡散したりすることを防ぐことができる。
【００１８】
飲食の際は、図５に示されるように、飲んだり食べたりするときに、片手で上側マスク３の下部を摘まんで捲り上げれば、下側マスク２の中央に設けられた開口部２２を通して利用者の口が露出するので、その状態で喫食することが可能である。従来のマスクのように、耳ひもを取り外して口が露出するようにマスクをずらす必要はない。
飲食物を口に入れたならば、捲り上げていた上側マスク３を下側マスク２の表面に再び重ねれば、利用者の口は上下のマスク２，３で覆われ、その状態で食事をともにする同行者との会話を楽しむことが可能である。
【００１９】
なお、図示したマスク１の形態は一例であり、本考案は他の適宜な形態で構成可能である。
下側マスク２の中央に配置した開口部２２を楕円形状に設けたが、利用者の口が露出可能な大きさであれば、円形状や方形状に設けてよい。
【符号の説明】
【００２０】
１  マスク、２  下側マスク、２１  耳ひも、２２  開口部、３  上側マスク、４  鼻パッド
【図１】
0003230765.tif 000003
【図２】
0003230765.tif 000004
【図３】
0003230765.tif 000005
【図４】
0003230765.tif 000006
【図５】
0003230765.tif 000007